(57)【要約】【課題】メモ等を留める方法が多様である。【解決手段】コルクボード１５が設けられた本体板１に対して、開閉板２が開閉可能に設置されている。開閉板２には金網２３がはめ込まれており、マグネットＭ１及び押しピンＭ２の両方を利用してメモや写真Ｐ１及びＰ２を掲示することができる。また、開閉板２を開いて写真Ｐ３を本体板１との間に挟んで掲示することもできる。【選択図】図１
2010091831.tif 000002
【特許請求の範囲】
【請求項１】
ピンを刺し留め可能な表面である刺し留め面を有する第１の平板部材と、
複数の貫通孔が形成され、少なくとも一部が強磁性体で構成された第２の平板部材とを備えており、
前記第１及び第２の平板部材が互いにほぼ平行に配置され且つ前記貫通孔が前記刺し留め面と対向した第１の状態と、前記第２の平板部材の一端が前記第１の状態のときより前記第１の平板部材から離隔した第２の状態とを選択的に取るように、前記第２の平板部材がその他端において前記前記第１の平板部材に回転可能に支持されていることを特徴とする掲示板。
【請求項２】
前記複数の貫通孔が前記第２の平板部材上にその面方向に関してマトリクス状に配列されていることを特徴とする請求項１に記載の掲示板。
【請求項３】
前記第１の状態において１つの前記貫通孔に対向する領域より広く且つ前記第２の平板部材に対向しない領域が前記刺し留め面に含まれていることを特徴とする請求項１又は２に記載の掲示板。
【請求項４】
前記第２の平板部材の少なくとも一部が金網で構成されており、前記金網の隙間が前記貫通孔であることを特徴とする請求項１〜３のいずれか１項に記載の掲示板。
【請求項５】
前記第１及び第２の平板部材のいずれかに開閉可能に支持された第３の平板部材を備えていることを特徴とする請求項１〜４のいずれか１項に記載の掲示板。
【発明の詳細な説明】
【技術分野】
【０００１】
本発明は、ピンを刺し留め可能な掲示板に関する。
【背景技術】
【０００２】
特許文献１は、画鋲などのピンを用いてメモ等を刺し留めることができるコルクボードに係るものである。
【０００３】
【特許文献１】実登第３０３６９６４号公報
【発明の開示】
【発明が解決しようとする課題】
【０００４】
メモや写真などを掲示するための掲示板は、メモ等を留めるための方法が多様であるほど使い勝手がよい。
【０００５】
本発明の目的は、メモ等を留める方法が多様な掲示板を提供することにある。
【課題を解決するための手段及び発明の効果】
【０００６】
本発明は、ピンを刺し留め可能な表面である刺し留め面を有する第１の平板部材と、複数の貫通孔が形成され、少なくとも一部が強磁性体で構成された第２の平板部材とを備えており、前記第１及び第２の平板部材が互いにほぼ平行に配置され且つ前記貫通孔が前記刺し留め面と対向した第１の状態と、前記第２の平板部材の一端が前記第１の状態のときより前記第１の平板部材から離隔した第２の状態とを選択的に取るように、前記第２の平板部材がその他端において前記前記第１の平板部材に回転可能に支持されている。
【０００７】
本発明の掲示板を第１の状態から第２の状態にすると、第２の平板部材の他端が第１の平板部材から離隔するので、その隙間からメモ等を２枚の平板部材の間に入れることができる。その状態で第２の平板部材を第１の状態に戻すと、２枚の平板部材の間に入れたメモ等をこれらの平板部材に挟むことができる。また、掲示板が第１の状態にあるときには、第２の平板部材の貫通孔を通じて第２の平板部材の上から第１の平板部材へとピンを刺すことができる。さらに、第２の平板部材の少なくとも一部が強磁性体から構成されているため、マグネットを利用することもできる。
【０００８】
また、本発明においては、前記複数の貫通孔が前記第２の平板部材上にその面方向に関してマトリクス状に配列されていることが好ましい。これによると、第２の平板部材上で貫通孔がマトリクス状に配列されているため、２枚の平板部材間に挟んだメモ等が貫通孔を通じて第２の平板部材の前方から見えやすくなる。
【０００９】
また、本発明においては、前記第１の状態において１つの前記貫通孔に対向する領域より広く且つ前記第２の平板部材に対向しない領域が前記刺し留め面に含まれていることが好ましい。貫通孔を通じてピンでメモ等を第１の平板部材に刺し留めた場合には、第２の平板部材を回転させて掲示板を第２の状態にすると、ピンが貫通孔を通らず第２の平板部材に引っ掛かって第１の平板部材から外れるおそれがある。一方、上記の構成によると、第１の状態において、１つの前記貫通孔に対向する領域より広く且つ第２の平板部材に対向しない領域が刺し留め面に存在する。したがって、この領域にピンでメモ等を刺し留めた場合には、この領域は貫通孔より広いため、掲示板を第２の状態にする際にピンがこの領域を通過しやすく、第１の平板部材から外れにくい。
【００１０】
また、本発明においては、前記第２の平板部材の少なくとも一部が金網で構成されており、前記金網の隙間が前記貫通孔であってもよい。これによると、第２の平板部材において貫通孔が形成された領域を金網で簡易に構成できる。
【００１１】
また、本発明においては、前記第１及び第２の平板部材のいずれかに開閉可能に支持された第３の平板部材を備えていてもよい。これによると、第３の平板部材と第１の平板部材との間にメモ等を挟むことができるように構成できる。
【発明を実施するための最良の形態】
【００１２】
［第１の実施形態］
以下、本発明の一実施形態である第１の実施形態に係る掲示板１０について説明する。図１（ａ）は、掲示板１０の正面図である。図１（ｂ）は、図１（ａ）のＢ−Ｂ線断面図である。
【００１３】
掲示板１０は、それぞれ平板状の本体板１（第１の平板部材）及び開閉板２（第２の平板部材）とを有している。本体板１は、正面視において矩形の背面板１１を有している。背面板１１の正面には凹部１１ａが形成されている。凹部１１ａは、正面視において背面板１１より一回り小さい矩形の形状に形成されている。凹部１１ａ内には、コルクボード１５がほぼ凹部１１ａの大きさ一杯にはめ込まれている。コルクボード１５の正面（以下、「刺し留め面１５ａ」とする）には、押しピンＭ２を刺し留めることができる。
【００１４】
開閉板２は、正面視において凹部１１ａより僅かに小さい矩形の形状を有している。開閉板２は、開閉板２の四端辺に沿って延びた外枠２１と、外枠２１内にはめ込まれた金網２３とを有している。金網２３は複数本の線条部材からなり、これらの線条部材は、外枠２１の四辺に沿って縦横に延びている。線条部材は、強磁性を有する材料から構成されている。例えば、磁性を有するステンレスや、鉄などから構成されてもよい。これにより、開閉板２の正面にはマグネットＭ１を固着させることができる。
【００１５】
図１（ａ）に示すように、外枠２１の下端部において左右両端には、突起２２ａ及び２２ｂが形成されている。この突起２２ａ及び２２ｂは、それぞれ背面板１１に形成された孔にはめ込まれている。これにより開閉板２は、図１（ｃ）の矢印Ａに沿って下端部を中心に回転するため、図１（ｂ）のようにコルクボード１５の刺し留め面１５ａに接触した状態（第１の状態）と、図１（ｃ）のように上端部が刺し留め面１５ａから離隔した状態（第２の状態）とを取ることができる。
【００１６】
また、開閉板２の上端部には突起２４が固定され、背面板１１の上端部には留め部１４が設けられている。突起２４は、外枠２１の正面の、左右方向に中心付近に形成されている。留め部１４は、背面板１１の正面の、左右方向に中心付近に設けられており、軸部１４ａによって回転可能に背面板１１に支持されている。これにより、留め部１４は、図１（ａ）において実線で示す状態と破線で示す状態とを取ることができる。留め部１４が破線で示す状態にあるときには、開閉板２を自由に開閉することができる。留め部１４を破線の状態から下方へと回転させ、突起２４に当接させると、留め部１４が実線の状態となる。この状態では、開閉板２を開こうとしても、外枠２１の上端部が留め部１４に当接するため、開閉板２を開くことができない。このように、留め部１４を回転させることで、開閉板２を開閉自由な状態と開閉板２を閉じた状態に保持する状態とを切り替えることができる。
【００１７】
以上説明した第１の実施形態によると、掲示板１０は、開閉板２を開いて図１（ｃ）の状態にし、写真Ｐ等を挿入した後に開閉板２を図１（ｂ）の状態に戻すことで、本体板１と開閉板２との間に写真Ｐ３を挟み込むことができる。ここで、開閉板２には金網２３が用いられているため、図１（ａ）に示すように、本体板１と開閉板２との間に挟みこんだ写真Ｐの表面を掲示板１０の前方から見ることができる。したがって、掲示板１０は、マグネットＭ１や押しピンＭ２を使ってメモ用紙や写真Ｐ１〜Ｐ３などを掲示することができると共に、本体板１と開閉板２との間にこれらを挟んで掲示することも可能である。
【００１８】
［第２の実施形態］
以下、本発明の第２の実施形態に係る掲示板１００について説明する。なお、以下の説明において第１の実施形態と同様の構成には同じ符号を付し、その説明を省略することがある。
【００１９】
図２は、掲示板１００の正面図である。掲示板１００は、本体板１と開閉板１０２とを有している。開閉板１０２は、正面視において矩形の外枠１２１を有している。外枠１２１の下端部には突起２２ａ及び２２ｂが形成され、これらの突起が背面板１１側の孔にはめ込まれており、これにより、開閉板１０２が本体板１に対して開閉可能に構成されている。また、外枠１２１の上端部には突起２４が形成されており、本体板１の上端部に設けられた留め部１４を突起２４に掛けることで、開閉板１０２を閉じた状態に保持できる。
【００２０】
外枠１２１の正面視で内側には、複数本の桟部材１２４が格子状に配置されている。これらの桟部材１２４は、図２の左右方向及び上下方向のそれぞれに沿っており、それぞれの方向に関して一定の間隔で配列されている。桟部材１２４同士の間には複数の矩形領域１２５が形成されている。これらの矩形領域１２５の一部には金網１２３がはめ込まれている。金網１２３がはめ込まれた領域同士は、金網がはめ込まれていない矩形領域１２５を挟んでいる。本実施形態では、金網１２３がはめ込まれた矩形領域１２５と金網１２３がはめ込まれていない矩形領域１２５とが交互に配列されており、全体として金網１２３がはめ込まれた矩形領域１２５が市松格子状に配置されている。金網１２３は、金網２３と同様に、複数本の線条部材からなり、これらの線条部材は、強磁性を有する材料から構成されている。
【００２１】
以上に説明した第２の実施形態によると、金網１２３が設けられた矩形領域１２５同士の間に、金網１２３が設けられていない。したがって、金網１２３が設けられていない矩形領域１２５には、図２の用紙Ｐ４及びＰ５のようにメモ用紙等を押しピンＭ２で金網１２３を介さず直接コルクボード１５に刺し留めることができる。
【００２２】
また、本体板１と開閉板１０２とによって挟まれた写真Ｐ７を取り出したりこれらの間に写真Ｐ７を挟んだりする際には、金網１２３を通じて押しピンＭ２で刺しとめられた用紙Ｐ８は、開閉板１０２を開く際に押しピンＭ２が外れて落下するおそれがある。しかし、金網１２３が設けられていない矩形領域１２５においてコルクボード１５に直接留められた用紙Ｐ４及Ｐ５は、開閉板１０２を開く際に落下しにくい。これは、矩形領域１２５が金網１２３の隙間より大きいため、押しピンＭ２や用紙Ｐ４等が矩形領域１２５に引っ掛かりにくいためである。なお、マグネットＭ１で金網１２３に留められた用紙Ｐ６も、開閉板１０２を開く際に落下しにくい。このように、第２の実施形態によると、メモ用紙や写真等を掲示する方法の多様性を保ちつつ、より使い勝手のよい掲示板が実現する。
【００２３】
（変形例１）
以下、第２の実施形態の変形例である変形例１〜４について説明する。図３は、変形例１に係る掲示板２００の正面図である。掲示板２００は、本体板１と開閉板２０２とを有している。開閉板２０２は、突起２２ａ及び２２ｂによって背面板１１に回転可能に支持された外枠２２１を有している。外枠２２１内には、図中上下方向に沿った複数の桟部材２２４が設けられている。桟部材２２４は、左右方向に関して間隔を空けつつ配列されている。桟部材２２４及び外枠２２１の間には、上下方向に長尺な矩形領域２２５が形成されている。矩形領域２２５には、一つおきに金網２２３がはめ込まれている。
【００２４】
（変形例２）
図４は、変形例２に係る掲示板３００の正面図である。掲示板３００は、本体板１と開閉板３０２とを有している。開閉板３０２は、突起２２ａ及び２２ｂによって背面板１１に回転可能に支持された外枠３２１を有している。外枠３２１内には、図中上下方向に沿った複数の桟部材３２４と、左右方向に沿った桟部材３２６とが設けられている。桟部材３２４は、左右方向に関して間隔を空けつつ配列されている。桟部材３２６は、外枠３２１の上下方向にほぼ中心に配置されている。桟部材３２４、３２６及び外枠３２１の間には、上下方向に長尺な矩形領域３２５が形成されている。矩形領域３２５には、左右方向に一つおきに金網３２３がはめ込まれている。また、縦方向に交互に金網３２３が設けられている。
【００２５】
（変形例３）
図５は、変形例３に係る掲示板４００の正面図である。掲示板４００は、本体板１と開閉板４０２とを有している。開閉板４０２は、突起２２ａ及び２２ｂによって背面板１１に回転可能に支持された外枠４２１を有している。外枠４２１内には桟部材４２４が設けられている。桟部材４２４は、図５に示すように図中の上下方向に沿った部分及び左右方向に沿った部分を有しており、外枠４２１内の領域を渦巻状の領域４２５ａ及び領域４２５ｂに切り分けている。領域４２５ｂには金網４２３がはめ込まれているのに対し、領域４２５ａには金網４２３がはめ込まれておらず、コルクボード１５の表面が露出している。
【００２６】
（変形例４）
図６は、変形例４に係る掲示板５００の正面図である。掲示板５００は、本体板１と開閉板５０２とを有している。開閉板５０２は、突起２２ａ及び２２ｂによって背面板１１に回転可能に支持された外枠５２１を有している。外枠５２１内には外側網５２３及び内側網５２７の２つの金網が設けられている。外側網５２３及び内側網５２７は、いずれも左右方向に長尺な「ロ」字型の形状を有しており、内側網５２７は、正面視において外側網５２３の内側に、領域５２９を隔てて配置されている。
【００２７】
外側網５２３の外縁は外枠５２１に固定されており、外側網５２３の内縁には桟部材５２４が固定されている。内側網５２７の外縁には桟部材５２６が、内側網５２７の内縁には桟部材５２８が固定されている。外側網５２３側の桟部材５２４と内側網５２７側の桟部材５２６とは、４本の桟部材５２５によって互いに固定されている。桟部材５２５は、外側網５２３の内縁を構成する矩形の各頂点から、内側網５２７の外縁を構成する矩形の各頂点まで延びている。
【００２８】
このように変形例４では、外側網５２３と内側網５２７との間に、金網が設けられていない領域５２９が形成されている。また、内側網５２７の内側にも、金網が設けられていない領域５３０が形成されている。これらの領域においては、開閉板５０２が閉じた状態でコルクボード１５の表面が露出している。
【００２９】
以上の変形例１〜４においても、開閉板に金網が設けられていない領域が存在するため、押しピンなどを利用してメモ用紙や写真を金網を介さず直接コルクボード１５に刺し留めることができる。また、これらの領域に刺し留めたメモ用紙等は、開閉板を開く際に落下しにくい。
【００３０】
［第３の実施形態］
以下、本発明の第３の実施形態に係る掲示板６００について説明する。第３の実施形態は、第１及び第２の実施形態と異なり、複数の開閉板が設けられている。なお、以下の説明において第１の実施形態と同様の構成には同じ符号を付し、その説明を省略することがある。
【００３１】
図７（ａ）は、掲示板６００の正面図である。掲示板６００は、本体板１と開閉板６０２とを有している。開閉板６０２は、正面視において矩形の外枠６２１を有している。外枠６２１の下端部には突起２２ａ及び２２ｂが形成され、これらの突起が背面板１１側の孔にはめ込まれている。これにより、開閉板６０２が本体板１に対して開閉可能に構成されている。また、外枠６２１の上端部には突起２４が形成されており、本体板１の上端部に設けられた留め部１４を突起２４に掛けることで、開閉板６０２を閉じた状態に保持できる。なお、図７には示されていないが、開閉板６０２の背後にはコルクボード１５が配置されている。
【００３２】
外枠６２１の図中右下には桟部材６２６が固定されている。桟部材６２６と外枠６２１の右下角部との間には矩形領域が形成され、この矩形領域に小開閉板６０３が配置されている。外枠６２１と桟部材６２６との間の、上記の矩形領域以外の領域には、金網６２３がはめ込まれている。
【００３３】
小開閉板６０３は、正面視において矩形の外枠６３４と、外枠６３４内にはめ込まれた金網６３３とを有している。外枠６３４の下端部には突起６３２ａ及び６３２ｂが形成されており、これらの突起は桟部材６２６及び６２１のそれぞれに形成された孔に嵌め込まれている。これにより小開閉板６０３は、開閉板６０２に対して開閉可能に構成されている。また、外枠６３４の上端部には突起６２４が形成されており、桟部材６２６には留め部６１４が軸部６１４ａによって回転可能に設置されている。留め部６１４を突起６２４に掛けることで、小開閉板６０３を閉じた状態に保持できる。
【００３４】
以上に説明した第３の実施形態によると、開閉板６０２にさらに小開閉板６０３が設けられており、小開閉板６０３は開閉板６０２に対して開閉可能に構成されている。これにより、小開閉板６０３を開閉板６０２に対して開閉することで、小開閉板６０３と本体板１との間にメモや写真等を挟むことができる。また、開閉板６０２を本体板１に対して開閉することにより、開閉板６０２及び小開閉板６０３の両方を同時に開閉することができる。
【００３５】
なお、上記のように開閉板６０２にさらに小開閉板６０３を設置するのではなく、図７（ｂ）のように複数の開閉板を本体板に直接設けてもよい。図７（ｂ）の掲示板７００には、本体板１とほぼ同様の構成を有する本体板７０１と、金網７２３ａ及び７２３ｂがそれぞれはめ込まれた開閉板７０２ａ及び７０２ｂの２枚の開閉板とが設けられている。開閉板７０２ａの下端部には突起７２２ａ及び７２２ｂが形成され、開閉板７０２ｂの下端部には突起７２２ｃ及び７２２ｄが形成されている。突起７２２ａ〜７２２ｄはそれぞれ本体板７０１に形成された孔にはめ込まれており、これによって開閉板７０２ａ及び７０２ｂが本体板７０１に対して個別に開閉するように構成されている。
【００３６】
＜その他の変形例＞
以上は、本発明の好適な実施形態についての説明であるが、本発明は上述の実施形態に限られるものではなく、課題を解決するための手段に記載された範囲の限りにおいて様々な変更が可能なものである。
【００３７】
上述の実施形態では、開閉板に金網が張られることにより、マグネットと押しピンの両方を利用してメモ用紙等を掲示することができるようになっている。しかし、金網の隙間のように開閉板にマトリクス状に貫通孔が形成されたものであればどのような構成であってもよい。例えば、金属の平板に複数の貫通孔を面方向にマトリクス状に並ぶように形成したものを開閉板として使用してもよい。
【００３８】
また、上述の実施形態では、開閉板と本体板との間にメモや写真等を挟むことができるように、開閉板を閉じた状態で開閉板と本体板とが互いに完全に平行に配置され、開閉板の背面とコルクボード１５の前面の刺し留め面１５ａとが接触することを想定している。しかし、開閉板を閉じた状態で開閉板の背面と刺し留め面１５ａとが若干離隔していてもよいし、開閉板と本体板とが完全には平行でなくてもよい。この場合でも、開閉板の下端部において本体板との写真等を挟持することができ、また、厚い紙も挟みやすくなるからである。
【００３９】
また、上述の実施形態では、開閉板の突起を本体板の孔にはめ込むことで、開閉板が本体板に回転可能に設置されている。しかし、蝶番などの別の構成を採用することで開閉板が本体板に回転可能に設置されていてもよい。
【００４０】
また、上述の実施形態では、いずれの開閉板も上開きの構成を有しているが、開閉板が下開きや横開きの構成を有していてもよい。
【００４１】
また、上述の実施形態において、開閉板全体が強磁性体を有する材質からなるものであってもよく、開閉板を構成する一部の部材のみが強磁性体を有する材質からなるものであってもよい。
【００４２】
また、上述の実施形態が適宜組み合わされたものが採用されてもよい。例えば、図２の構成と図７（ａ）の構成の組み合わせとして、図２の矩形領域１２５にはめ込まれた金網１２３が、開閉板１０２に対してそれぞれ開閉するように構成されてもよい。また、図２の構成と図７（ｂ）の構成の組み合わせとして、これらの金網１２３が、本体板１に対してそれぞれ開閉するように構成されてもよい。
【図面の簡単な説明】
【００４３】
【図１】図１（ａ）は、本発明の一実施形態である第１の実施形態に係る掲示板の正面図である。図１（ｂ）は、図１（ａ）のＢ−Ｂ線断面図である。図１（ｃ）は、図１（ｂ）とは別の状態のＢ−Ｂ線断面に相当する断面図である。
【図２】本発明の別の実施形態である第２の実施形態に係る掲示板の正面図である。
【図３】図２の掲示板の変形例に係る掲示板の正面図である。
【図４】図３とは別の変形例に係る掲示板の正面図である。
【図５】図３、４とは別の変形例に係る掲示板の正面図である。
【図６】図３〜５とは別の変形例に係る掲示板の正面図である。
【図７】本発明のさらに別の実施形態である第３の実施形態に係る掲示板の正面図である。
【符号の説明】
【００４４】
１、７０１  本体板／２、１０２−６０２、７０２ａ、７０２ｂ  開閉板／１０、１００−７００  掲示板／１５  コルクボード／１５ａ  刺し留め面／２３、１２３−４２３、６２３、６３３、７２３ａ、７２３ｂ  金網／５２３  外側網／５２７  内側網／６０３  小開閉板／Ｍ１  マグネット／Ｍ２  押しピン
【図１】
2010091831.tif 000003
【図２】
2010091831.tif 000004
【図３】
2010091831.tif 000005
【図４】
2010091831.tif 000006
【図５】
2010091831.tif 000007
【図６】
2010091831.tif 000008
【図７】
2010091831.tif 000009